(57)【要約】  室内外の温湿度の変動に応じて室内の湿度の制御が可能で、かつ消費電力を抑えることが可能な除加湿換気システムを提供する。  除加湿換気システム１Ａは、ヒートポンプ空調機２０と熱交換素子２１を備え、ヒートポンプ空調機２０で冷却されて除湿された空気を熱交換素子２１で外気と熱交換して室内に給気する除加湿換気装置２Ａと、除加湿換気装置２Ａに吸い込まれる外気または除加湿換気装置２Ａからの給気の湿度を検知する第１の検知センサー５Ａと、室内が設定された湿度と温度になるように、第１の検知センサー５Ａで検知された外気または室内への給気の湿度に応じて、除加湿換気装置２Ａで室内へ給気される空気の除湿量または加湿量と温度を制御する制御部６を備える。
2009011362.tif 000002
【特許請求の範囲】
【請求項１】
外気を吸い込み、湿度と温度の調節を行って室内に給気する除加湿換気装置と、
前記除加湿換気装置に吸い込まれる外気または前記除加湿換気装置からの給気の湿度あるいは温度と湿度を検知する状態検知手段と、
室内が設定された湿度と温度になるように、前記状態検知手段で検知された外気または室内への給気の湿度あるいは温度と湿度に応じて、前記除加湿換気装置で室内へ給気される空気の除湿量または加湿量と温度を制御する制御手段とを備え、
前記除加湿換気装置は、
空気の除湿を行う除湿手段と、
空気の加湿を行う加湿手段と、
互いが仕切られた第１の熱交換風路を通る空気と第２の熱交換風路を通る空気との間で熱交換が行われる熱交換素子と、
外気の吸込口から前記熱交換素子の前記第１の熱交換風路の吸込側へつながり、前記第１の熱交換風路の吹出側から前記第２の熱交換風路の吸込側へ、前記除湿手段を通してつながり、前記第２の熱交換風路の吹出側から室内への給気口へつながる熱交換給気風路とを備えた
ことを特徴とする除加湿換気システム。
【請求項２】
室内の湿度あるいは温度と湿度を検知する室内状態検知手段と、
室内の空気調和を行う空調装置とを備え、
前記制御手段は、前記室内状態検知手段で検知された室内の温度と設定温度との差に応じて、前記空調装置を制御する
ことを特徴とする請求の範囲第１項に記載の除加湿換気システム。
【請求項３】
前記除加湿換気装置から複数の部屋に給気を行うダクト部材を備えると共に、
前記ダクト部材で前記除加湿換気装置から給気される各部屋に前記空調装置を備え、
前記制御手段は、前記室内状態検知手段で検知された各部屋の温度と設定温度との差に応じて、各部屋の前記空調装置を制御する
ことを特徴とする請求の範囲第２項に記載の除加湿換気システム。
【請求項４】
外気を吸い込み、湿度と温度の調節を行って室内に給気する除加湿換気装置と、
前記除加湿換気装置に吸い込まれる外気の温度と湿度を検知する状態検知手段と、
前記状態検知手段で検知された外気の温度と湿度に応じて運転モードを選択し、室内が設定された湿度と温度になるように、前記除加湿換気装置で室内へ給気される空気の除湿量または加湿量と温度を制御する制御手段とを備え、
前記除加湿換気装置は、
空気の除湿を行う除湿手段と、
空気の加湿を行う加湿手段と、
互いが仕切られた第１の熱交換風路を通る空気と第２の熱交換風路を通る空気との間で熱交換が行われる熱交換素子と、
外気の吸込口から前記熱交換素子の前記第１の熱交換風路の吸込側へつながり、前記第１の熱交換風路の吹出側から前記第２の熱交換風路の吸込側へ、前記除湿手段を通してつながり、前記第２の熱交換風路の吹出側から室内への給気口へつながる熱交換給気風路とを備えた
ことを特徴とする除加湿換気システム。
【請求項５】
室内の温度を検知する室内状態検知手段と、
室内の空気調和を行う空調装置とを備え、
前記室内状態検知手段で検知された室内の温度と設定温度との差に応じて、前記空調装置を制御する
ことを特徴とする請求の範囲第４項に記載の除加湿換気システム。
【請求項６】
前記制御手段で選択される運転モードは、前記状態検知手段で検知された外気の温湿度と、設定された室内の温湿度の組み合わせから、給気で目標とする絶対湿度を算出し、給気が目標の絶対湿度となるように除加湿換気装置を制御して外気を除湿して給気する除湿モードと、外気を加湿して給気する加湿モードと、外気を空気調和せずに給気する換気モードと、外気を加温して給気する加温モードである
ことを特徴とする請求の範囲第４項または第５項に記載の除加湿換気システム。
【発明の詳細な説明】
【技術分野】
【０００１】
本発明は、除加湿機能を有した除加湿換気システムに関する。
【背景技術】
【０００２】
高気密、高断熱住宅の普及に伴い、シックハウス対策等健康面から換気が法令化され、空気の入れ替えは重要不可欠である。【０００３】
また、カビの成長は栄養分、酸素ばかりでなく温度、湿度が大いに関与している。そして、カビはダニの１つの栄養素になり、カビとダニは密接な関係を持っている。このため、室内の湿度を通年に亘りカビが繁殖しないように制御することも重要である。【０００４】
しかし、夏季に外気を取り入れて換気を行うと、室内の湿度が上がり、冬季に外気を取り入れて換気を行うと、室内の湿度を下げてしまう。【０００５】
また、室内に外気を取り入れる際に、デシカントローラにより水分を吸着する除湿機能を備えた空気調和機が提案されている（例えば、特開２００２−２３５９３３号公報参照）。【０００６】
また、熱交換器の間で冷媒を循環させて冷凍サイクルを構成し、空気を冷却することで結露させて除湿を行う除湿機能を備えた空気調和機が提案されている（例えば、特開２００７−１７０７６９号公報参照）。
【発明の開示】
【０００７】
しかし、デシカントローラ等の水分吸着手段で除湿機能を実現した空気調和機では、一般的に１時間当たりの除湿量は比較小さく、変動する外気条件、生活条件（室内の人数、炊事、衣類乾燥等）の湿度負荷には対応しきれず、四季を通じて全館を換気しながら湿度を制御することが困難であった。
【０００８】
また、冷凍サイクルを構成する空気調和機の除湿運転でも空気中の水分を結露させて湿度を下げることができるが、外気の温度が比較的低く湿度が高い時期、例えば梅雨時は、除湿量を増やすために吹き出し空気が冷えすぎる問題がある。
【０００９】
給気温度の冷えすぎを防ぐため、従来から室内への給気を再加熱する機能を備えた空気調和機が提案されているが、消費電力大、製品コスト高、装置の複雑さ等の種々の問題がある。
【００１０】
本発明は、このような課題を解決するためになされたもので、室内外の温湿度の変動に応じて室内の湿度の制御が可能で、かつ消費電力を抑えることが可能な除加湿換気システムを提供することを目的とする。
【００１１】
上述した課題を解決するため、本発明の除加湿換気システムは、外気を吸い込み、湿度と温度の調節を行って室内に給気する除加湿換気装置と、除加湿換気装置に吸い込まれる外気または除加湿換気装置からの給気の湿度あるいは温度と湿度を検知する状態検知手段と、室内が設定された湿度と温度になるように、状態検知手段で検知された外気または室内への給気の湿度あるいは温度と湿度に応じて、除加湿換気装置で室内へ給気される空気の除湿量または加湿量と温度を制御する制御手段とを備え、除加湿換気装置は、空気の除湿を行う除湿手段と、空気の加湿を行う加湿手段と、互いが仕切られた第１の熱交換風路を通る空気と第２の熱交換風路を通る空気との間で熱交換が行われる熱交換素子と、外気の吸込口から熱交換素子の第１の熱交換風路の吸込側へつながり、第１の熱交換風路の吹出側から第２の熱交換風路の吸込側へ除湿手段を通してつながり、第２の熱交換風路の吹出側から室内への給気口へつながる熱交換給気風路とを備えたことを特徴とする。また、本発明の除加湿換気システムは、外気を吸い込み、湿度と温度の調節を行って室内に給気する除加湿換気装置と、除加湿換気装置に吸い込まれる外気の温度と湿度を検知する状態検知手段と、状態検知手段で検知された外気の温度と湿度に応じて運転モードを選択し、室内が設定された湿度と温度になるように、除加湿換気装置で室内へ給気される空気の除湿量または加湿量と温度を制御する制御手段とを備え、除加湿換気装置は、空気の除湿を行う除湿手段と、空気の加湿を行う加湿手段と、互いが仕切られた第１の熱交換風路を通る空気と第２の熱交換風路を通る空気との間で熱交換が行われる熱交換素子と、外気の吸込口から熱交換素子の第１の熱交換風路の吸込側へつながり、第１の熱交換風路の吹出側から第２の熱交換風路の吸込側へ除湿手段を通してつながり、第２の熱交換風路の吹出側から室内への給気口へつながる熱交換給気風路とを備えたことを特徴とする。
【００１２】
本発明の除加湿換気システムでは、室内が設定された湿度と温度になるように例えば除湿を行う場合は、除加湿換気装置を制御して、熱交換給気風路を通る空気を、外気または室内への給気の湿度に応じた目標除湿量となるように除湿手段で除湿すると共に、外気を除湿した空気を、熱交換素子で外気と熱交換して温度を上げて、室内に給気する。
【００１３】
これにより、室内外の湿度が変動しても、室内の湿度を設定湿度に近づけて保つことができると共に、除湿量を増やす場合でも、給気温度が下がりすぎることがなく、除湿した空気の再加熱の必要がない。
【００１４】
本発明の除加湿換気システムによれば、外気の温湿度が変動しても、外気の除湿または加湿を行って室内に取り入れて換気を行うことで湿度を制御することができ、居住者の健康にとっても住宅性能にとっても良好な環境を通年に亘って維持、確保することが可能になる。
【００１５】
また、除湿量を増やす場合でも、給気温度が下がり過ぎることを防ぐことができ、再加熱が不要となって、消費電力を抑えることができる。
【図面の簡単な説明】
【００１６】
【図１】第１の実施の形態の除加湿換気システムの一例を示す構成図である。
【図２】第１の実施の形態の除加湿換気システムを構成する除加湿換気装置の一例を示す構成図である。
【図３】除加湿換気装置における風路及びヒートポンプ空調機の構成図である。
【図４】除加湿換気装置の風路を構成する部材の分解斜視図である。
【図５】風路開閉ダンパの構成例を示す斜視図である。
【図６】第１の実施の形態の除加湿換気システムの変形例を示す構成図である。
【図７】第２の実施の形態の除加湿換気システムの一例を示す構成図である。
【図８】第２の実施の形態の除加湿換気システムの一例を示す機能ブロック図である。
【図９】外気の温湿度と運転モードの関係を示すグラフである。
【図１０】運転モードを決定した際の外気の温湿度の一例を示す空気線図である。
【図１１】月毎の運転モードの一例を示す動作テーブルである。
【図１２】操作部の一例を示す構成図である。
【図１３】第２の検知センサーの一例を示す構成図である。
【発明を実施するための最良の形態】
【００１７】
以下、図面を参照して本発明の除加湿換気システムの実施の形態について説明する。【００１８】
＜第１の実施の形態の除加湿換気システム構成例＞
図１は、第１の実施の形態の除加湿換気システムの一例を示す構成図、図２は、第１の実施の形態の除加湿換気システムを構成する除加湿換気装置の一例を示す構成図、図３は、除加湿換気装置における風路及びヒートポンプ空調機の構成図、図４は、除加湿換気装置の風路を構成する部材の分解斜視図である。【００１９】
第１の実施の形態の除加湿換気システム１Ａは、外気ＯＡを吸い込み、運転モードに応じて除湿または加湿と温度の調節を行った給気ＳＡを部屋１００に供給する除加湿換気装置２Ａと、部屋１００の空気調和を行う空調装置３Ａを備える。【００２０】
また、除加湿換気システム１Ａは、除加湿換気装置２Ａと空調装置３Ａを操作する共用またはそれぞれ独立したリモートコントローラ等の操作部４を備える。なお、図１では、除加湿換気装置２Ａと空調装置３Ａで操作部４を共用し、操作部４の操作で除加湿換気装置２Ａと空調装置３Ａの両方の操作が可能な構成である。【００２１】
更に、除加湿換気システム１Ａは、除加湿換気装置２Ａで吸い込まれる外気ＯＡの湿度、または湿度と温度、あるいは、除加湿換気装置２Ａから吹き出される給気ＳＡの湿度、または湿度と温度を検知する状態検知手段としての第１の検知センサー５Ａと、部屋１００の湿度、または湿度と温度を検知する室内状態検知手段としての第２の検知センサー５Ｂを備える。なお、第２の検知センサー５Ｂは操作部４に備えても良い。【００２２】
除加湿換気装置２Ａは、外気の冷却及び冷却による除湿と加熱を行う空気調和機としてのヒートポンプ空調機２０と、ヒートポンプ空調機２０で調和された空気と調和前の外気との熱交換及び除湿等を行う熱交換素子２１を備える。【００２３】
また、空調装置３Ａは、室内機３０と室外機３１を備え、室内機３０で部屋１００の空気を循環させながら、除加湿換気装置２Ａのヒートポンプ空調機２０と同様の原理で空気の冷却及び加熱を行い、室内の冷房または暖房を行う。【００２４】
そして、除加湿換気システム１Ａは、第１の検知センサー５Ａで検知された外気ＯＡまたは給気ＳＡの湿度と、操作部４で設定された設定湿度等から求められた目標除湿量または目標加湿量に基づいて除加湿換気装置２Ａが制御され、外気を除湿または加湿した空気が部屋１００に供給されて、室内の除湿または加湿が行われる。【００２５】
除加湿換気装置２Ａでは、熱交換素子２１を通ることで温度が下げられて相対湿度を上昇させた外気がヒートポンプ空調機２０で冷却されることで、除湿量が増加される。また、ヒートポンプ空調機２０で冷却された空気が、熱交換素子２１を通ることで温度が上げられ、目標除湿量が多い場合の給気温度の低下が抑えられる。【００２６】
ここで、除湿量を目標除湿量としたときに除加湿換気装置２Ａで供給される給気ＳＡの温度と、操作部４で設定された設定温度の差から、第２の検知センサー５Ｂで検知される部屋１００の室温が設定温度より高い場合は、空調装置３Ａが制御されて、室内の冷房が行われる。【００２７】
これにより、除加湿換気システム１Ａは、除加湿換気装置２Ａと空調装置３Ａの連動で、部屋１００内の湿度及び温度が設定値を保つように制御される。【００２８】
次に、除加湿換気装置２Ａの構成の詳細について説明する。まず、図３等を参照して、ヒートポンプ空調機２０の構成について説明する。ヒートポンプ空調機２０は、冷媒が流れる配管２０ａと、室内に給気する空気と冷媒との間で熱交換を行う第１の熱交換器２０ｂと、外気と冷媒との間で熱交換を行う第２の熱交換器２０ｃを備える。【００２９】
また、ヒートポンプ空調機２０は、配管２０ａを通り第１の熱交換器２０ｂと第２の熱交換器２０ｃとの間を循環される冷媒を圧縮する圧縮機２０ｄと、配管２０ａを通り循環される冷媒を減圧する膨張弁２０ｅと、冷媒の循環方向を切り替える四方弁２０ｆを備える。【００３０】
ヒートポンプ空調機２０は、冷媒の循環方向に応じて冷凍サイクルを構成して、第１の熱交換器２０ｂを蒸発器として機能させることで、空気の除湿を行う除湿手段を構成する。【００３１】
次に、熱交換素子２１の構成について説明する。熱交換素子２１は熱交換手段の一例で、空気が通る第１の熱交換風路２１ａと、第１の熱交換風路２１ａと仕切られて空気が通る第２の熱交換風路２１ｂを備え、第１の熱交換風路２１ａを通る空気と第２の熱交換風路２１ｂを通る空気との間で熱交換が行われる。【００３２】
次に、除加湿換気装置２Ａにおける風路の構成について説明する。除加湿換気装置２Ａは、外気ＯＡが吸い込まれる外気吸込口２２から、熱交換素子２１の第１の熱交換風路２１ａ、ヒートポンプ空調機２０の第１の熱交換器２０ｂ、及び熱交換素子２１の第２の熱交換風路２１ｂを通り、給気ＳＡが吹き出される給気吹出口２３につながる熱交換給気風路２４Ａを備える。【００３３】
また、除加湿換気装置２Ａは、熱交換素子２１をバイパスしてヒートポンプ空調機２０の第１の熱交換器２０ｂを通る非熱交換給気風路２４Ｂを備える。非熱交換給気風路２４Ｂは、例えば、外気吸込口２２から熱交換素子２１の第１の熱交換風路２１ａをバイパスして、ヒートポンプ空調機２０の第１の熱交換器２０ｂの上流で熱交換給気風路２４Ａと合流する。【００３４】
除加湿換気装置２Ａでは、熱交換給気風路２４Ａに空気を通すと、熱交換素子２１の第１の熱交換風路２１ａと第２の熱交換風路２１ｂの両方に空気が通るため、熱交換素子２１では、第１の熱交換風路２１ａを通る空気と第２の熱交換風路２１ｂを通る空気との間で熱交換が行われる。【００３５】
一方、非熱交換給気風路２４Ｂに空気を通すと、熱交換素子２１の第１の熱交換風路２１ａを空気（外気）が通らないため、熱交換素子２１では、第２の熱交換風路２１ｂを通る空気は熱交換が行われない。【００３６】
次に、熱交換給気風路２４Ａ及び非熱交換給気風路２４Ｂの構成の詳細について説明する。【００３７】
熱交換給気風路２４Ａと非熱交換給気風路２４Ｂは、熱交換素子２１が収納される収納箱部２５ａ，２５ｂと、収納箱部２５ａ，２５ｂが収納される筐体２６ａ，２６ｂと、ヒートポンプ空調機２０の第１の熱交換器２０ｂが収納される筐体２７ａ，２７ｂ等により構成される。【００３８】
外気吸込口２２は、熱交換素子２１が収納される上下一対の収納箱部２５ａ，２５ｂにおいて、上側の収納箱部２５ａの正面を開口して形成され、第１の吸込口２２ａと第２の吸込口２２ｂが並列される。【００３９】
収納箱部２５ａ，２５ｂは、所定の形状で仕切られた断熱材等で構成され、第１の吸込口２２ａからつながる中央部分に熱交換素子２１が収納される。収納箱部２５ａ，２５ｂに収納される熱交換素子２１は、図３等に示す第１の熱交換風路２１ａと第２の熱交換風路２１ｂによって、熱交換給気風路２４Ａの一部を構成する。そして、収納箱部２５ａ，２５ｂは、熱交換素子２１の両側に、第２の吸込口２２ｂとつながる非熱交換給気風路２４Ｂが形成される。【００４０】
また、収納箱部２５ａ，２５ｂは、熱交換素子２１が収納されると、熱交換素子２１の第２の熱交換風路２１ｂの吹出側とつながる開口部２５ｃが、収納箱部２５ａの上面に形成される。更に、熱交換素子２１の第１の熱交換風路２１ａの吹出側とつながる開口部、及び第２の熱交換風路２１ｂの吸込側とつながる開口部と、非熱交換給気風路２４Ｂとつながる開口部が、それぞれ図示しないが収納箱部２５ｂの下面に形成される。【００４１】
収納箱部２５ａ，２５ｂが収納される筐体２６ａ，２６ｂは、筐体２６ａの正面の一部が開口して外気吸込口２２が露出されると共に、下面が開口して収納箱部２５ｂの下面の図示しない各開口部が露出される。また、収納箱部２５ａの開口部２５ｃとつながる吹出部２６ｃが、筐体２６ａの上面に取り付けられる筐体２６ｂに形成される。【００４２】
ヒートポンプ空調機２０の第１の熱交換器２０ｂが収納される筐体２７ａ，２７ｂは、収納箱部２５ａ，２５ｂに収納されて熱交換素子２１が取り付けられた筐体２６ａ，２６ｂが、筐体２７ａの上部に取り付けられる。【００４３】
また、筐体２７ａ，２７ｂは、収納箱部２５ａ，２５ｂに収納された熱交換素子２１の第１の熱交換風路２１ａの吹出側及び収納箱部２５ａ，２５ｂにより構成される非熱交換給気風路２４Ｂとつながる開口部２７ｃが、第１の熱交換器２０ｂで仕切られた一方の空間とつながって、筐体２７ａの上面に形成される。【００４４】
更に、筐体２７ａ，２７ｂは、収納箱部２５ａ，２５ｂに収納された熱交換素子２１の第２の熱交換風路２１ｂの吸込側とつながる開口部２７ｄが、第１の熱交換器２０ｂで仕切られた他方の空間とつながって、筐体２７ａの上面に形成される。【００４５】
これにより、熱交換給気風路２４Ａは、外気吸込口２２の第１の吸込口２２ａが、熱交換素子２１の第１の熱交換風路２１ａの吸込側とつながる。また、第１の熱交換風路２１ａの吹出側が、ヒートポンプ空調機２０の第１の熱交換器２０ｂを通して第２の熱交換風路２１ｂの吸込側とつながる。更に、第２の熱交換風路２１ｂの吹出側が給気吹出口２３とつながる。【００４６】
一方、非熱交換給気風路２４Ｂは、熱交換素子２１の第１の熱交換風路２１ａをバイパスして、外気吸込口２２の第２の吸込口２２ｂが、ヒートポンプ空調機２０の第１の熱交換器２０ｂより上流で熱交換給気風路２４Ａとつながる。【００４７】
除加湿換気装置２Ａは、外気吸込口２２から外気ＯＡを吸い込み、熱交換給気風路２４Ａと非熱交換給気風路２４Ｂの何れか、または熱交換給気風路２４Ａと非熱交換給気風路２４Ｂの両方を通し、給気ＳＡとして給気吹出口２３から吹き出させる送風ファン部２４Ｃを備える。【００４８】
また、除加湿換気装置２Ａは、外気ＯＡの熱交換給気風路２４Ａと非熱交換給気風路２４Ｂへの分配比率を調整する風路開閉ダンパ２８を備える。【００４９】
風路開閉ダンパ２８は風路開閉手段の一例で、本例では、熱交換給気風路２４Ａとつながる第１の吸込口２２ａと、非熱交換給気風路２４Ｂとつながる第２の吸込口２２ｂの双方に備えられる。【００５０】
図５は、風路開閉ダンパの構成例を示す斜視図である。風路開閉ダンパ２８は、第１の吸込口２２ａを開閉する第１のダンパ２８ａの両側に、第２の吸込口２２ｂを開閉する第２のダンパ２８ｂを有し、第１のダンパ２８ａと第２のダンパ２８ｂが、９０°位相を異ならせて同じ軸部２８ｃに備えられる。【００５１】
第１のダンパ２８ａと第２のダンパ２８ｂは、それぞれ複数の板状の部材で構成され、各ダンパの軸部２８ｃに取り付けられた図示しないギアまたはリンク等によって、複数のダンパが連動する。【００５２】
これにより、軸部２８ｃの回転動作で第１のダンパ２８ａと第２のダンパ２８ｂが作動して、第１の吸込口２２ａと第２の吸込口２２ｂの開閉が切り替えられる。【００５３】
すなわち、第１のダンパ２８ａで第１の吸込口２２ａを全開とすると、第２のダンパ２８ｂは位相が９０°ずれているので、第２の吸込口２２ｂは全閉となる。一方、第２のダンパ２８ｂで第２の吸込口２２ｂを全開とすると、第１のダンパ２８ａで第１の吸込口２２ａは全閉となる。【００５４】
また、第１の吸込口２２ａを全開としている状態から、第１のダンパ２８ａを徐々に閉じていくと、第２のダンパ２８ｂは、第２の吸込口２２ｂを全閉としている状態から徐々に開く。一方、第２の吸込口２２ｂを全開としている状態から、第２のダンパ２８ｂを徐々に閉じていくと、第１のダンパ２８ａは、第１の吸込口２２ａを全閉としている状態から徐々に開く。【００５５】
従って、風路開閉ダンパ２８は、第１のダンパ２８ａの動作で、図３等に示す熱交換給気風路２４Ａを通る空気の風量を１００％から０％に調整できると共に、第２のダンパ２８ｂが第１のダンパ２８ａと連動することで、非熱交換給気風路２４Ｂを通る空気の風量を０％から１００％に調整できる。【００５６】
よって、除加湿換気装置２Ａは、風路開閉ダンパ２８の第１のダンパ２８ａと第２のダンパ２８ｂの開閉によって、外気ＯＡの全てを熱交換素子２１の第１の熱交換風路２１ａに通して、第２の熱交換風路２１ｂを通る空気との間で熱交換させる風路構成と、外気ＯＡの全てを非熱交換給気風路２４Ｂに通して、熱交換素子２１で熱交換を行わない風路構成とが選択可能となる。【００５７】
また、外気ＯＡの所定量を熱交換素子２１の第１の熱交換風路２１ａに通し、残部を非熱交換給気風路２４Ｂに通して、外気ＯＡの所定量を熱交換させる風路構成が選択可能となる。【００５８】
そして、風路開閉ダンパ２８は、１つのモータで、２つの吸込口を開閉して風路を切り替えることができるので、低コストで風路を切り替える構成を実現できる。【００５９】
次に、各図を参照して除加湿換気装置２Ａにおける除加湿の構成について説明する。【００６０】
除加湿換気装置２Ａは、ヒートポンプ空調機２０の第１の熱交換器２０ｂより下流の熱交換給気風路２４Ａに加湿手段としての散水装置２９ａを備える。【００６１】
熱交換給気風路２４Ａと非熱交換給気風路２４Ｂは、ヒートポンプ空調機２０の第１の熱交換器２０ｂより上流で合流しており、本例では、第１の熱交換器２０ｂと、熱交換素子２１の第２の熱交換風路２１ｂの吸込側との間の風路に、霧状のミストを噴霧するノズルを備えている。【００６２】
これにより、熱交換素子２１の第１の熱交換風路２１ａからヒートポンプ空調機２０の第１の熱交換器２０ｂを通る空気、及び第１の熱交換風路２１ａをバイパスして非熱交換給気風路２４Ｂから第１の熱交換器２０ｂを通る空気の双方を加湿可能である。【００６３】
また、除加湿換気装置２Ａは、熱交換素子２１及びヒートポンプ空調機２０の第１の熱交換器２０ｂの下方に水回収手段としてドレンパン２９ｂを備える。本例では、熱交換素子２１を上側として、熱交換素子２１と第１の熱交換器２０ｂが上下に配置されており、第１の熱交換器２０ｂの下方にドレンパン２９ｂを設けている。これにより、熱交換素子２１及び第１の熱交換器２０ｂで発生した結露水や、散水装置２９ａから噴霧された水の余剰分が、ドレンパン２９ｂに滴下されて回収される。【００６４】
次に、除加湿換気システム１Ａの各構成の設置例及び制御機能例について説明する。除加湿換気装置２Ａは、建物１０１の屋外、または建物１０１内の図示しない空調機設置室に設置される。【００６５】
除加湿換気装置２Ａは、給気吹出口２３に接続されたダクト部材としてのダクト２００が、部屋１００の壁または天井に設置される給気グリル２０１と接続される。【００６６】
第１の検知センサー５Ａは、除加湿換気装置２Ａから吹き出される給気ＳＡの湿度または温湿度を検知する構成では、給気吹出口２３または給気グリル２０１の風路中に備えられる。【００６７】
また、第１の検知センサー５Ａは、除加湿換気装置２Ａに吸い込まれる外気ＯＡの湿度または温湿度を検知する構成では、外気吸込口２２に備えられる。【００６８】
第２の検知センサー５Ｂは、除加湿換気装置２Ａで給気ＳＡが供給される部屋１００の天井や壁、または、壁等に固定される操作部が設けられた構成では操作部、あるいは給気グリル２０１の風路外等に備えられる。【００６９】
空調装置３Ａは、室外機３１が建物１０１の屋外に設置されると共に、室内機３０が、除加湿換気装置２Ａで給気ＳＡが供給される部屋１００の壁等に設置される。【００７０】
除加湿換気システム１Ａは、除加湿換気装置２Ａで給気ＳＡが供給される部屋１００等に、室内の空気を屋外に排出する排気グリル２０２を備える。排気グリル２０２は、図示しないファンとファンを駆動するモータ等を備え、機械換気を行う構成である。なお、排気グリル２０２は、ファンを備えていない構成でも良い。【００７１】
除加湿換気システム１Ａは、操作部４の操作を受けて、除加湿換気装置２Ａ及び空調装置３Ａを制御する制御部６を備える。制御部６は制御手段の一例で、例えば、除加湿換気装置２Ａと一体、または独立して構成され、操作部４が操作されることで設定された湿度や温度の情報と、第１の検知センサー５Ａで検知される外気ＯＡまたは給気ＳＡの湿度または温湿度の情報と、第２の検知センサー５Ｂで検知される部屋１００の湿度または温湿度の情報が入力される。【００７２】
そして、制御部６は、室内の湿度が設定湿度に保たれるように、除加湿換気装置２Ａで除湿または加湿を行うと共に、室内の温度が設定温度に保たれるように、空調装置３Ａによる冷房または暖房の連動の有無が制御される。【００７３】
＜第１の実施の形態の除加湿換気システムの動作例＞
次に、各図を参照して、第１の実施の形態の除加湿換気システムの動作の一例について説明する。【００７４】
（１）除湿モードの動作例
除湿モードは、除加湿換気装置２Ａで外気ＯＡを除湿して、給気ＳＡとして部屋１００に供給すると共に、室温に応じて空調装置３Ａを連動させる運転モードである。【００７５】
操作部４で除湿モードが選択されると、制御部６は、除加湿換気装置２Ａで吸い込まれる外気ＯＡの湿度の情報、または、除加湿換気装置２Ａから吹き出される給気ＳＡの湿度の情報を第１の検知センサー５Ａから取得すると共に、利用者等により操作部４で設定された設定湿度及び設定温度の情報を取得する。【００７６】
制御部６は、外気ＯＡの湿度と設定湿度の差、または給気ＳＡの湿度と設定湿度の差と、目標除加湿量を対応付けたテーブルを持ち、例えば外気ＯＡの湿度と設定湿度の差を算出して目標除湿量を決定し、除湿量が目標除湿量となるように、除加湿換気装置２Ａを制御する。【００７７】
除加湿換気装置２Ａは、除湿モードでは、風路開閉ダンパ２８の動作で第１のダンパ２８ａを開けて、熱交換給気風路２４Ａとつながる外気吸込口２２の第１の吸込口２２ａを全開にすると共に、非熱交換給気風路２４Ｂとつながる第２の吸込口２２ｂを、第２のダンパ２８ｂによって全閉にして、外気ＯＡの全量を熱交換素子２１の第１の熱交換風路２１ａに供給する。なお、以下の説明で外気ＯＡの全量とは、略全量を含む実質的な全量を意味している。【００７８】
また、ヒートポンプ空調機２０は、四方弁２０ｆによって図３に実線で示す矢印で冷媒が循環される冷凍サイクルを構成し、目標除湿量となるように膨張弁２０ｅの開度や圧縮機２０ｄの回転数を制御して圧縮機２０ｄを作動させることで、第１の熱交換器２０ｂを蒸発器として機能させ、蒸発器による冷媒の吸熱作用で外気ＯＡの冷却を行う。このとき、第２の熱交換器２０ｃは凝縮器として機能し、冷媒を冷却して液化させている。【００７９】
以上の状態で、送風ファン部２４Ｃを作動させると、第１の吸込口２２ａから外気ＯＡが吸い込まれ、外気ＯＡの全量が熱交換給気風路２４Ａへ供給される。【００８０】
熱交換給気風路２４Ａでは、熱交換素子２１の第１の熱交換風路２１ａを外気ＯＡが通り、第１の熱交換風路２１ａを通った外気ＯＡがヒートポンプ空調機２０の第１の熱交換器２０ｂを通る。そして、冷凍サイクルの蒸発器として機能している第１の熱交換器２０ｂを通った外気ＯＡが、熱交換素子２１に戻り第２の熱交換風路２１ｂを通る。【００８１】
外気ＯＡは、熱交換素子２１を通ることで、ヒートポンプ空調機２０で冷却された空気との間で熱交換されて、温度が下げられる。【００８２】
また、ヒートポンプ空調機２０で冷却される空気は、熱交換素子２１で熱交換されて温度が下げられた外気ＯＡである。このとき、熱交換素子２１の第１の熱交換風路２１ａを通る外気ＯＡと、第２の熱交換風路２１ｂを通る冷却された外気ＯＡとの温度差に応じて、第１の熱交換風路２１ａを通る外気ＯＡが温度低下によって飽和状態となり、第１の熱交換風路２１ａを通る外気ＯＡ中の水分が結露して除湿が行われる。【００８３】
更に、外気ＯＡは、冷凍サイクルの蒸発器として機能している第１の熱交換器２０ｂを通ることで水分が結露して除湿される。このとき、外気ＯＡは第１の熱交換器２０ｂへの導入前に温度が下げられていることから相対湿度が上昇しており、ヒートポンプ空調機２０による冷却能力を上げることなく、すなわち、消費電力を増加させることなく除湿量を増加させて、夏季では高温中湿の外気ＯＡを、必要以上の温度低下を抑えた中温低湿の空気とする。【００８４】
そして、熱交換素子２１及びヒートポンプ空調機２０を通って中温低湿となった外気ＯＡは、給気吹出口２３からダクト２００を通り、給気グリル２０１から給気ＳＡとして部屋１００に給気される。【００８５】
なお、熱交換素子２１及び第１の熱交換器２０ｂで発生した結露水はドレンパン２９ｂで回収され、室外へ排水される。【００８６】
除加湿換気装置２Ａで除湿された外気ＯＡが給気ＳＡとして部屋１００に供給されると、部屋１００の空気が排気グリル２０２から屋外に排出され、部屋１００内が換気される。【００８７】
このように、除湿モードでは、除加湿換気装置２Ａで吸い込んだ外気ＯＡから目標除湿量の水分を結露させた空気が、給気ＳＡとして部屋１００に供給されると共に、部屋１００の空気が排気されることで、室内外の温湿度が変動しても、室内の相対湿度を設定湿度に近づけて一定に保つことができる。【００８８】
また、除湿モードでは、外気ＯＡが通る風路を、熱交換素子２１の第１の熱交換風路２１ａを通る風路に切り替えることで、室内を冷やし過ぎることなく、室内の除湿が可能となり、除湿量を増やしても空気の再加熱の必要がないので、ヒータ等が不要で、消費電力の増加を抑え、かつ、装置構成の複雑化を防ぐことができる。【００８９】
夏季の具体例として、外気の温度が３５℃、絶対湿度が２０g/kg、相対湿度が５６％Ｒｈのとき、換気を行って室内温度を２８℃、絶対湿度を１０．６g/kg、相対湿度を４５％Ｒｈにしたい場合、外気ＯＡから目標除湿量として９．４g/kg（２０−１０．６g/kg）の除湿した空気を給気すれば良い。【００９０】
ここで、除加湿換気装置２Ａでは、外気ＯＡを熱交換素子２１を通すことで、空気の温度を下げすぎることなく、除湿量を増加させており、吸い込んだ外気ＯＡの絶対湿度を１０．６g/kgに下げると、温度が約３０℃（４０％Ｒｈ）となる。【００９１】
このため、室内温度が２８℃、絶対湿度が１４．３g/kg、相対湿度が６０％Ｒｈであると、絶対湿度は設定湿度に近づくが、温度は設定温度より高くなる。そこで、制御部６は、部屋１００の室温を第２の検知センサー５Ｂから取得し、室温が設定温度より高い場合は、空調装置３Ａを制御して冷房運転を行い、室内の冷房が行われる。【００９２】
これにより、部屋１００の状態は設定された温湿度に近づき、本例では、室内温度が２８℃、絶対湿度が１０．６g/kgで、相対湿度が４５％Ｒｈに保たれ、室内の相対湿度を低下させて、夏季に涼しさを得られるようにすることができる。【００９３】
（２）加湿モードの動作例
加湿モードは、除加湿換気装置２Ａで外気ＯＡを加湿して、給気ＳＡとして部屋１００に供給すると共に、室温に応じて空調装置３Ａを連動させる運転モードである。【００９４】
操作部４で加湿モードが選択されると、制御部６は、除加湿換気装置２Ａで吸い込まれる外気ＯＡの湿度の情報、または、除加湿換気装置２Ａから吹き出される給気ＳＡの湿度の情報を第１の検知センサー５Ａから取得すると共に、利用者等により操作部４で設定された設定湿度及び設定温度の情報を取得する。【００９５】
制御部６は、例えば外気ＯＡの湿度と設定湿度の差を算出して目標加湿量を決定し、除湿量が目標加湿量となるように、除加湿換気装置２Ａを制御する。【００９６】
除加湿換気装置２Ａは、加湿モードでは、風路開閉ダンパ２８の動作で第２のダンパ２８ｂを開けて、非熱交換給気風路２４Ｂとつながる外気吸込口２２の第２の吸込口２２ｂを全開にすると共に、熱交換給気風路２４Ａとつながる第１の吸込口２２ａを、第１のダンパ２８ａによって全閉にして、外気ＯＡの全量を熱交換素子２１の第１の熱交換風路２１ａをバイパスさせる。【００９７】
また、ヒートポンプ空調機２０は、四方弁２０ｆによって図３に破線で示す矢印で冷媒が循環されるヒートポンプを構成して圧縮機２０ｄを作動させることで、第１の熱交換器２０ｂを凝縮器として機能させ、凝縮器による冷媒の放熱作用で外気ＯＡの加熱を行う。このとき、第２の熱交換器２０ｃは蒸発器として機能し、冷媒を気化させている。【００９８】
更に、ヒートポンプ空調機２０の第１の熱交換器２０ｂより下流の熱交換給気風路２４Ａに、目標加湿量となるように散水装置２９ａによって散水を行う。【００９９】
以上の状態で、送風ファン部２４Ｃを作動させると、第２の吸込口２２ｂから外気ＯＡが吸い込まれ、外気ＯＡの全量が非熱交換給気風路２４Ｂへ供給される。非熱交換給気風路２４Ｂでは、熱交換素子２１の第１の熱交換風路２１ａをバイパスして、外気ＯＡがヒートポンプ空調機２０の第１の熱交換器２０ｂへ供給される。【０１００】
そして、ヒートポンプの凝縮器として機能している第１の熱交換器２０ｂを通ることで加熱された外気ＯＡが、散水装置２９ａによる散水で加湿され、熱交換素子２１の第２の熱交換風路２１ｂを通り、給気吹出口２３からダクト２００を通り、給気グリル２０１から給気ＳＡとして部屋１００に給気される。【０１０１】
なお、散水装置２９ａによって散水された水の余剰分はドレンパン２９ｂで回収され、室外へ排水される。【０１０２】
除加湿換気装置２Ａで加湿された外気ＯＡが給気ＳＡとして部屋１００に供給されると、部屋１００の空気が排気グリル２０２から屋外に排出され、部屋１００内が換気される。【０１０３】
このように、加湿モードでは、除加湿換気装置２Ａで吸い込んだ外気ＯＡに目標加湿量の水分が供給された空気が、給気ＳＡとして部屋１００に供給されると共に、部屋１００の空気が排気されることで、室内外の温湿度が変動しても、室内の相対湿度を設定湿度に近づけて一定に保つことができる。【０１０４】
また、加湿モードでは、外気ＯＡが通る風路を、熱交換素子２１の第１の熱交換風路２１ａをバイパスさせる非熱交換給気風路２４Ｂに切り替えることで、冬季で温度が低い外気ＯＡと、ヒートポンプ空調機２０で加熱された空気との間で熱交換が行われない。【０１０５】
これにより、ヒートポンプ空調機２０で加熱された外気ＯＡの温度低下を防ぎ、低温低湿の外気ＯＡを、ヒートポンプ空調機２０の運転能力と、散水装置２９ａの給水量に応じて中温高湿の空気として給気して、室内の加湿を行うことができる。【０１０６】
更に、ヒートポンプ空調機２０で加熱された外気ＯＡの温度低下を防ぐことで、給気される空気が飽和状態になることを防ぎ、加湿のために散水した水が結露して排水される無駄を低減することができる。【０１０７】
ここで、加湿モードでも、制御部６は、部屋１００の室温を第２の検知センサー５Ｂから取得し、室温が設定温度より低いまたは高い場合は、空調装置３Ａを制御して冷暖房運転を行い、室内の空調が行われる。【０１０８】
これにより、部屋１００の状態は設定された温湿度に近づき、室内の過乾燥を防ぐことができる。【０１０９】
＜第１の実施の形態の除加湿換気システムの変形例＞
図６は、第１の実施の形態の除加湿換気システムの変形例を示す構成図である。図１では、除加湿換気装置２Ａから一室に給気を行う構成であるが、図６では、ダクト２００に分岐チャンバー２０３を備え、複数の部屋１００（ａ〜ｄ）へ給気が行えるようにすると共に、各部屋に空調装置３Ａの室内機３０を備える構成としても良い。【０１１０】
これにより、除加湿換気装置２Ａから除湿または加湿された空気が各部屋１００（ａ〜ｄ）に給気されると共に、各部屋１００（ａ〜ｄ）では、部屋毎の設定温度となるように空調装置３Ａが制御され、部屋毎の個別の温度調節が可能となる。【０１１１】
例えば、建物１０１の向きによって、南向きの部屋１００（ａ，ｂ）は温度が高く、北向きの部屋１００（ｃ，ｄ）は温度が低くなる。除加湿換気システム１Ａでは、除加湿換気装置２Ａで所望の設定温湿度となるように制御が行われ、各部屋１００（ａ〜ｄ）に同じ温湿度の空気が供給される。そして、部屋毎の室温に応じて、各部屋で空調装置３Ａが制御されることで、各部屋の室温を一定に制御することができる。一方、各部屋の室温を利用者の好みに応じて変えることもできる。【０１１２】
なお、部屋１００に設置される空調装置は、除湿機能は無く温度制御の機能を備えた機種で良いが、多室で個別に除加湿を行う構成では、空調装置にも除湿機能を備え、各部屋で空調装置によっても湿度の制御を行えるようにしても良い。【０１１３】
図１では、制御部６が除加湿換気装置２Ａと空調装置３Ａに指示を出す構成としたが、除加湿換気装置と空調装置を独立したシステムとして、除加湿換気装置と空調装置の間で通信を行って指示を出す構成としても良い。【０１１４】
また、空調装置３Ａに除湿機能を備えると共に、除加湿換気装置２Ａと空調装置３Ａを連動させる場合の消費電力と、空調装置３Ａ単体で運転する場合の消費電力を記憶しておき、部屋１００内を設定温湿度とする際に、両者の消費電力を比較して、消費電力の少ない方を稼働させることで、省エネにつなげることができる。【０１１５】
例えば、上述したように、外気ＯＡの温度が３５℃、絶対湿度が２０g/kgで、設定温湿度が２８℃で相対湿度を４５％Ｒｈにしたい場合、室内の絶対湿度を１０．６g/kgとするため、除加湿換気装置２Ａで９．４g/kgの除湿に要する消費電力をＪ１とする。また、除加湿換気装置２Ａでの給気温度（３０℃）と設定温度（２８℃）との差の２℃を、空調装置３Ａで冷却するために要する消費電力をＪ２とする。【０１１６】
一方、外気ＯＡの温度が３５℃、絶対湿度が２０g/kgで、室内温度が２８℃、絶対湿度が１４．３g/kgのとき、外気を取り入れて換気を行いながら、空調装置３Ａで室内の相対湿度を４０〜５０％Ｒｈにするのに要する消費電力をＪ３とする。【０１１７】
そして、除加湿換気装置２Ａと空調装置３Ａを連動させた場合の消費電力Ｊ１＋Ｊ２と、空調装置３Ａ単体での消費電力Ｊ３を比較し、消費電力の少ない方で稼働させることで、省エネにつなげる。【０１１８】
＜第１の実施の形態の除加湿換気システムの効果例＞
近年、地球温暖化防止等の環境問題、省エネ面から夏のエアコン設定温度を２８℃（冬は１９〜２０℃）にすることが奨励されている。しかし、温度が２８℃で相対湿度が４６〜５０％Ｒｈでは不快指数が７５〜７６となり、やや暑いから暑い状態である。【０１１９】
一方、温度２８℃で相対湿度４０〜４４％Ｒｈでは不快指数が７４〜７５になり、快適なレベルであると言われている。【０１２０】
また、カビやダニは、湿度の高いとき程繁殖するが、相対湿度が０％Ｒｈの乾燥状態でも繁殖するカビが存在する一方で、相対湿度が５０％Ｒｈで一番繁殖しにくくなる。しかし、相対湿度が５０％Ｒｈを超えるとまた繁殖性を上げる。【０１２１】
一方、ウイルスは湿度の低いとき程繁殖するが、相対湿度が４０〜７０％Ｒｈでは繁殖しにくい。【０１２２】
従って、温度に関係なく室内の相対湿度は４０〜５０％にすることが望まれる。【０１２３】
これにより、四季を通じて外気温湿度が変動しても、換気をしながら湿度を一定、例えば相対湿度が４５％Ｒｈを保つように湿度をコントロールすることによって、過乾燥や過加湿を抑えることができ、居住者にとっても、住宅性能にとっても良好な環境を維持、確保することが可能になる。【０１２４】
＜第２の実施の形態の除加湿換気システムの構成例＞
図７は、第２の実施の形態の除加湿換気システムの一例を示す構成図、図８は、第２の実施の形態の除加湿換気システムの一例を示す機能ブロック図である。【０１２５】
第２の実施の形態の除加湿換気システム１Ｂは、外気ＯＡを吸い込み、運転モードに応じて除湿または加湿と温度の調節を行った給気ＳＡを部屋１００に供給するか、吸い込んだ外気ＯＡを、除加湿や温度調節を行わずにそのまま給気ＳＡとして部屋１００に供給する除加湿換気装置２Ａと、部屋１００の空気調和を行う空調装置３Ａを備える。ここで、除加湿換気装置２Ａの構成は、上述した図２〜図５で説明した第１の実施の形態の除加湿換気システム１Ａを構成する除加湿換気装置２Ａと同じである。また、除加湿換気システム１Ｂは、除加湿換気装置２Ａで給気ＳＡが供給される部屋１００等に、室内の空気を屋外に排出する排気グリル２０２を備える。排気グリル２０２は、第１の実施の形態の除加湿換気システム１Ａと同様の構成を有し、図示しないファンとファンを駆動するモータ等を備え、機械換気を行う構成である。なお、排気グリル２０２は、ファンを備えていない構成でも良い。【０１２６】
更に、除加湿換気システム１Ｂは、部屋１００内の温湿度の設定等を居住者が行う操作を受けるリモートコントローラ等の操作部４Ｂと、除加湿換気装置２Ａで吸い込まれる外気ＯＡの湿度と温度を検知する状態検知手段としての第１の検知センサー５Ｃを備える。【０１２７】
更に、除加湿換気システム１Ｂは、第１の検知センサー５Ｃで検知された外気ＯＡの温湿度と、操作部４Ｂで設定された室内の温湿度に基づいて、除加湿換気装置２Ａを制御する制御部６Ｂを備える。【０１２８】
また、除加湿換気システム１Ｂは、部屋１００の温度を検知し、検知された室内の温度と、操作部４Ｂで設定された室内の温度に基づいて、空調装置３Ａを制御する室内状態検知手段としての第２の検知センサー５Ｄを備える。【０１２９】
第１の検知センサー５Ｃは、除加湿換気装置２Ａの外気吸込口２２付近に設置され、除加湿換気装置２Ａに吸い込まれる外気ＯＡの温度と相対湿度を検知して、制御部６Ｂに通達する。【０１３０】
制御部６Ｂは、第１の検知センサー５Ｃで検知された外気ＯＡの温湿度に基づいて運転モードを選択し、検知された外気ＯＡの温湿度と、操作部４Ｂで設定された室内の温湿度の組み合わせから、給気ＳＡで目標とする湿度（絶対湿度）を算出し、給気ＳＡが目標の絶対湿度となるように除加湿換気装置２Ａを制御する。【０１３１】
第２の実施の形態の除加湿換気システム１Ｂでは、選択可能な運転モードとして、（１）除湿モード、（２）加湿モード、（３）換気モード、（４）加温モードを備える。【０１３２】
図９は、外気ＯＡの温湿度と運転モードの関係を示すグラフ、図１０は、ある観測地点で運転モードを決定した際の外気ＯＡの温湿度の一例を示す空気線図、図１１は、ある観測地点での月毎の運転モードの一例を示す動作テーブルである。【０１３３】
図９に示すように、外気ＯＡの温湿度が範囲（１）に含まれる場合、除湿モードが選択される、範囲（２）に含まれる場合、加湿モードが選択される。また、外気ＯＡの温湿度が範囲（３）に含まれる場合、換気モードが選択され、範囲（４）に含まれる場合、加温モードが選択される。【０１３４】
ここで、図１０において、丸付き数字は月毎の外気ＯＡの温湿度を示す。例えば、８月の例では、外気ＯＡの温度が約２９℃、相対湿度が約６７％である。この条件では、図９に示すように除湿モードが選択される。そして、操作部４Ｂで設定された室内の温湿度が、例えば２７℃，４５％だとすると、絶対湿度の差（約１７ｇ／ｋｇ−約１０ｇ／ｋｇ）を算出して、目標の絶対湿度となるように除湿が行われる。【０１３５】
除湿モードでは、除加湿換気装置２Ａは、図２〜図５で説明した熱交換素子２１を通る熱交換給気風路２４Ａとつながる第１の吸込口２２ａを全開にすると共に、熱交換素子２１を通らない非熱交換給気風路２４Ｂとつながる第２の吸込口２２ｂを全閉にして、外気ＯＡの全量を熱交換素子２１に供給する。【０１３６】
また、ヒートポンプ空調機２０は冷凍サイクルを構成して、第１の熱交換器２０ｂを蒸発器として機能させ、蒸発器による冷媒の吸熱作用で外気ＯＡの冷却を行う。更に、散水装置２９ａは非稼働とする。【０１３７】
加湿モードでは、除加湿換気装置２Ａは、熱交換素子２１を通らない非熱交換給気風路２４Ｂとつながる第２の吸込口２２ｂを全開にすると共に、熱交換素子２１を通る熱交換給気風路２４Ａとつながる第１の吸込口２２ａを全閉にして、外気ＯＡの全量を熱交換素子２１の第１の熱交換風路２１ａをバイパスさせる。【０１３８】
また、ヒートポンプ空調機２０は第１の熱交換器２０ｂを凝縮器として機能させ、凝縮器による冷媒の放熱作用で外気ＯＡの加熱を行う。更に、散水装置２９ａによって散水を行う。【０１３９】
換気モードでは、除加湿換気装置２Ａは、第２の吸込口２２ｂを全開にすると共に第１の吸込口２２ａを全閉にして、外気ＯＡの全量を熱交換素子２１の第１の熱交換風路２１ａをバイパスさせる。また、ヒートポンプ空調機２０および散水装置２９ａは非稼働とする。【０１４０】
加温モードでは、除加湿換気装置２Ａは、第２の吸込口２２ｂを全開にすると共に第１の吸込口２２ａを全閉にして、外気ＯＡの全量を熱交換素子２１の第１の熱交換風路２１ａをバイパスさせる。【０１４１】
また、ヒートポンプ空調機２０は第１の熱交換器２０ｂを凝縮器として機能させ、凝縮器による冷媒の放熱作用で外気ＯＡの加熱を行う。更に、散水装置２９ａは非稼働とする。【０１４２】
図１２は、操作部の一例を示す構成図、図１３は、第２の検知センサーの一例を示す構成図である。操作部４Ｂは、居住者の望む温度及び湿度（相対湿度）が設定できると共に、運転モードの設定ができる機能を有する。すなわち、操作部４Ｂは、温度の設定を選択する温度設定選択ボタン４０ａと、湿度の設定を選択する湿度設定選択ボタン４０ｂと、温度及び湿度を設定する設定ボタン４０ｃを備える。また、設定された温湿度及び選択された運転モードを表示する表示部４１を備える。更に、特定の運転モードを手動で選択する運転モード選択ボタン４２を備える。【０１４３】
除加湿換気システム１Ｂは、特定の運転モードとして、本例では省エネモードが選択可能である。省エネモードでは、夏季と冬季で運転モードの切り替えを可能としている。【０１４４】
除加湿換気システム１Ｂでは、上述したように、第１の検知センサー５Ｃで検知された外気ＯＡの温湿度に基づいて運転モードが選択され、検知された外気ＯＡの温湿度と、操作部４Ｂで設定された室内の温湿度に基づいて、給気ＳＡで目標とする湿度（絶対湿度）が算出される。【０１４５】
省エネモードでは、室内の温湿度と目標とする絶対湿度の関係は、夏季と冬季で例えば以下のように設定される。以下に示す値は、図９に網掛け表示した範囲である。【０１４６】
夏季：温度２６〜２８℃、相対湿度４０〜５０％→絶対湿度８．４〜１１．８ｇ／ｋｇ
冬季：温度２０〜２２℃、相対湿度３０〜４０％→絶対湿度４．３〜６．６ｇ／ｋｇ【０１４７】
操作部４Ｂは、居住者によって設定された室内の温湿度の情報と、省エネモードの選択の有無を示す情報を制御部６Ｂに指令する。また、居住者によって設定された室内の温湿度の中で、温度の情報を第２の検知センサー５Ｄに指令する。【０１４８】
第２の検知センサー５Ｄは、室内の所定の位置、例えば、居住者が多く居る位置等に合わせて設置され、室内の温度を検知する。第２の検知センサー５Ｄは、温度センサー５０と、温度センサー５０で検知された室内温度と操作部４Ｂから送られた設定温度を表示する表示部５１と、運転モードを選択する操作ボタン５２と、図示しない制御部を備える。第２の検知センサー５Ｄは、居住者によって操作部４Ｂで設定された温度と、温度センサー５０で検知された室内の温度が異なる場合、室温が設定温度となるように空調装置３Ａに指令を出し、空調装置を運転／停止させる。例えば、室温が設定温度より高い場合は冷房運転の指令を出し、室温が設定温度より低い場合は暖房運転の指令を出す。なお、第２の検知センサー５Ｄは、空調装置３Ａのリモートコントロール装置として、可搬可能な構成としても良い。また、操作部４Ｂに組み込んでも良い。【０１４９】
＜第２の実施の形態の除加湿換気システムの動作例＞
次に、第２の実施の形態の除加湿換気システム１Ｂの動作について各図を参照して説明する。【０１５０】
（１）除湿モードの動作例
操作部４Ｂで、例えば省エネモードの「夏季」が設定され、第１の検知センサー５Ｃで検知された外気ＯＡの温度が３５℃、相対湿度が６０％の場合（絶対湿度２１．５ｇ／ｋｇ）、制御部６Ｂは、予め設定されている４つの運転モードから、図１０に示すように除湿モードを選択し、除加湿換気装置２Ａに除湿モードでの運転を指令する。除加湿換気装置２Ａは、上述したように夏季の省エネモードとして予め設定されている絶対湿度（例えば８．４〜１１．８ｇ／ｋｇ）となるように冷凍サイクルを稼働する。なお、省エネモードが設定されず、居住者が操作部４Ｂで温度と湿度を設定した場合は、第１の検知センサー５Ｃで検知された外気ＯＡの温湿度と、操作部４Ｂで設定された室内の温湿度に基づいて、給気ＳＡで目標とする湿度（絶対湿度）が算出される。【０１５１】
除湿モードでは、除加湿換気装置２Ａは、上述したように、第１の吸込口２２ａを全開にすると共に第２の吸込口２２ｂを全閉にして、外気ＯＡの全量を熱交換素子２１に供給する。【０１５２】
また、ヒートポンプ空調機２０は冷凍サイクルを構成し、目標除湿量となるように圧縮機２０ｄを作動させることで、第１の熱交換器２０ｂを蒸発器として機能させ、蒸発器による冷媒の吸熱作用で外気ＯＡの冷却を行う。更に、散水装置２９ａは非稼働とする。【０１５３】
以上の状態で、送風ファン部２４Ｃを作動させると、外気ＯＡの全量が熱交換給気風路２４Ａへ供給され、熱交換給気風路２４Ａでは、熱交換素子２１の第１の熱交換風路２１ａを外気ＯＡが通り、第１の熱交換風路２１ａを通った外気ＯＡがヒートポンプ空調機２０の第１の熱交換器２０ｂを通る。そして、冷凍サイクルの蒸発器として機能している第１の熱交換器２０ｂを通った外気ＯＡが、熱交換素子２１に戻り第２の熱交換風路２１ｂを通る。【０１５４】
外気ＯＡは、熱交換素子２１を通ることで、ヒートポンプ空調機２０で冷却された空気との間で熱交換されて、温度が下げられる。【０１５５】
また、ヒートポンプ空調機２０で冷却される空気は、熱交換素子２１で熱交換されて温度が下げられた外気ＯＡである。このとき、熱交換素子２１の第１の熱交換風路２１ａを通る外気ＯＡと、第２の熱交換風路２１ｂを通る冷却された外気ＯＡとの温度差に応じて、第１の熱交換風路２１ａを通る外気ＯＡが温度低下によって飽和状態となり、第１の熱交換風路２１ａを通る外気ＯＡ中の水分が結露して除湿が行われる。【０１５６】
更に、外気ＯＡは、冷凍サイクルの蒸発器として機能している第１の熱交換器２０ｂを通ることで水分が結露して除湿される。これにより、熱交換素子２１を通過した外気ＯＡが目標とする絶対湿度となるように、圧縮機２０ｄを作動させる。【０１５７】
そして、熱交換素子２１及びヒートポンプ空調機２０を通って除湿され、中温低湿となった外気ＯＡは、給気吹出口２３からダクト２００を通り、給気グリル２０１から給気ＳＡとして部屋１００に給気される。【０１５８】
除加湿換気装置２Ａで除湿された外気ＯＡが給気ＳＡとして部屋１００に供給されると、部屋１００の空気が排気グリル２０２から屋外に排出され、部屋１００内が換気される。【０１５９】
このように、除湿モードでは、除加湿換気装置２Ａで吸い込んだ外気ＯＡから目標除湿量の水分を結露させた空気が、給気ＳＡとして部屋１００に供給されると共に、部屋１００の空気が排気されることで、室内外の温湿度が変動しても、室内の相対湿度を設定湿度に近づけて一定に保つことができる。【０１６０】
ここで、除湿モードでは、第２の検知センサー５Ｄは部屋１００の室温を検知し、検知された室温が操作部４Ｂから指令された設定温度より低いまたは高い場合は、空調装置３Ａを制御して冷暖房運転を行い、室内の空調が行われる。【０１６１】
（２）加湿モードの動作例
操作部４Ｂで、例えば省エネモードの「冬季」が設定され、第１の検知センサー５Ｃで検知された外気ＯＡの温度が７．５℃、相対湿度が４５％の場合（絶対湿度３ｇ／ｋｇ）、制御部６Ｂは、予め設定されている４つの運転モードから、図１０に示すように加湿モードを選択し、除加湿換気装置２Ａに加湿モードでの運転を指令する。除加湿換気装置２Ａは、上述したように冬季の省エネモードとして予め設定されている絶対湿度（例えば４．３〜６．６ｇ／ｋｇ）となるように散水装置２９ａを稼働する。なお、省エネモードが設定されず、居住者が操作部４Ｂで温度と湿度を設定した場合は、第１の検知センサー５Ｃで検知された外気ＯＡの温湿度と、操作部４Ｂで設定された室内の温湿度に基づいて、給気ＳＡで目標とする湿度（絶対湿度）が算出される。【０１６２】
加湿モードでは、除加湿換気装置２Ａは、上述したように、第２の吸込口２２ｂを全開にすると共に第１の吸込口２２ａを全閉にして、外気ＯＡの全量を熱交換素子２１の第１の熱交換風路２１ａをバイパスさせる。【０１６３】
また、ヒートポンプ空調機２０は第１の熱交換器２０ｂを凝縮器として機能させ、凝縮器による冷媒の放熱作用で外気ＯＡの加温を行う。加湿モードが選択された場合、運転開始後ある一定時間は、加温のみの空気を室内に給気して、ダクト２００内や給気グリル２０１を暖めることで、加湿された空気が給気される際の結露を防止する。そして、一定時間経過後、目標加湿量となるように散水装置２９ａによって散水を行う。【０１６４】
以上の状態で、送風ファン部２４Ｃを作動させると、外気ＯＡの全量が非熱交換給気風路２４Ｂへ供給され、非熱交換給気風路２４Ｂでは、熱交換素子２１の第１の熱交換風路２１ａをバイパスして、外気ＯＡがヒートポンプ空調機２０の第１の熱交換器２０ｂへ供給される。【０１６５】
そして、ヒートポンプの凝縮器として機能している第１の熱交換器２０ｂを通ることで加温された外気ＯＡが、散水装置２９ａによる散水で加湿され、熱交換素子２１の第２の熱交換風路２１ｂを通り、給気吹出口２３からダクト２００を通り、給気グリル２０１から給気ＳＡとして部屋１００に給気される。【０１６６】
除加湿換気装置２Ａで加湿された外気ＯＡが給気ＳＡとして部屋１００に供給されると、部屋１００の空気が排気グリル２０２から屋外に排出され、部屋１００内が換気される。【０１６７】
このように、加湿モードでは、除加湿換気装置２Ａで吸い込んだ外気ＯＡに目標加湿量の水分が供給された空気が、給気ＳＡとして部屋１００に供給されると共に、部屋１００の空気が排気されることで、室内外の温湿度が変動しても、室内の相対湿度を設定湿度に近づけて一定に保つことができる。【０１６８】
ここで、加湿モードでも、第２の検知センサー５Ｄは部屋１００の室温を検知し、検知された室温が操作部４Ｂから指令された設定温度より低いまたは高い場合は、空調装置３Ａを制御して冷暖房運転を行い、室内の空調が行われる。【０１６９】
（３）換気モードの動作例
操作部４Ｂで設定された室内の温度と相対湿度から算出された絶対湿度と、第１の検知センサー５Ｃで検知された外気ＯＡの温度と相対湿度から算出された絶対湿度がほぼ等しく、また、設定温度と外気温度の差が小さい（例えば、３℃以内）の場合、制御部６Ｂは、予め設定されている４つの運転モードから、図１０に示すように換気モードを選択し、除加湿換気装置２Ａに換気モードでの運転を指令する。【０１７０】
換気モードでは、除加湿換気装置２Ａは、上述したように、第２の吸込口２２ｂを全開にすると共に第１の吸込口２２ａを全閉にして、外気ＯＡの全量を熱交換素子２１の第１の熱交換風路２１ａをバイパスさせる。また、ヒートポンプ空調機２０および散水装置２９ａは非稼働とする。【０１７１】
以上の状態で、送風ファン部２４Ｃを作動させると、外気ＯＡの全量が非熱交換給気風路２４Ｂへ供給され、非熱交換給気風路２４Ｂでは、熱交換素子２１の第１の熱交換風路２１ａをバイパスして、外気ＯＡがヒートポンプ空調機２０の第１の熱交換器２０ｂへ供給される。【０１７２】
そして、ヒートポンプ空調機２０が非稼働であることで、第１の熱交換器２０ｂを通る外気ＯＡは加温または冷却と除湿が行われず、また、散水装置２９ａが非稼働であることで、外気ＯＡは加湿されず、温湿度の調節が行われない外気ＯＡが、熱交換素子２１の第２の熱交換風路２１ｂを通り、給気吹出口２３からダクト２００を通り、給気グリル２０１から給気ＳＡとして部屋１００に給気される。【０１７３】
除加湿換気装置２Ａで空気調和されない外気ＯＡが給気ＳＡとして部屋１００に供給されると、部屋１００の空気が排気グリル２０２から屋外に排出され、部屋１００内が換気される。【０１７４】
このように、換気モードでは、外気ＯＡが給気ＳＡとして部屋１００に供給されると共に、部屋１００の空気が排気されることで、室内の温湿度を外気ＯＡの温湿度に合わせて設定温湿度で保ちながら換気を行うことができる。【０１７５】
（４）加温モードの動作例
操作部４Ｂで設定された室内の温度と相対湿度から算出された絶対湿度と、第１の検知センサー５Ｃで検知された外気ＯＡの温度と相対湿度から算出された絶対湿度がほぼ等しく、また、設定温度と外気温度の差が大きい（例えば、３℃以上）の場合、制御部６Ｂは、予め設定されている４つの運転モードから、図１０に示すように加温モードを選択し、除加湿換気装置２Ａに加温モードでの運転を指令する。【０１７６】
加温モードでは、除加湿換気装置２Ａは、上述したように、第２の吸込口２２ｂを全開にすると共に第１の吸込口２２ａを全閉にして、外気ＯＡの全量を熱交換素子２１の第１の熱交換風路２１ａをバイパスさせる。また、ヒートポンプ空調機２０は第１の熱交換器２０ｂを凝縮器として機能させ、凝縮器による冷媒の放熱作用で外気ＯＡの加熱を行う。更に、散水装置２９ａは非稼働とする。【０１７７】
以上の状態で、送風ファン部２４Ｃを作動させると、外気ＯＡの全量が非熱交換給気風路２４Ｂへ供給され、非熱交換給気風路２４Ｂでは、熱交換素子２１の第１の熱交換風路２１ａをバイパスして、外気ＯＡがヒートポンプ空調機２０の第１の熱交換器２０ｂへ供給される。【０１７８】
そして、ヒートポンプの凝縮器として機能している第１の熱交換器２０ｂを通ることで加温された外気ＯＡが、熱交換素子２１の第２の熱交換風路２１ｂを通り、給気吹出口２３からダクト２００を通り、給気グリル２０１から給気ＳＡとして部屋１００に給気される。【０１７９】
除加湿換気装置２Ａで加温された外気ＯＡが給気ＳＡとして部屋１００に供給されると、部屋１００の空気が排気グリル２０２から屋外に排出され、部屋１００内が換気される。【０１８０】
このように、加温モードでは、除加湿換気装置２Ａで吸い込んだ外気ＯＡを加温した空気が、給気ＳＡとして部屋１００に供給されると共に、部屋１００の空気が排気されることで、室内外の温度が変動しても、室内の温度を設定温度に近づけて一定に保つことができる。
【産業上の利用可能性】
【０１８１】
本発明は、外気を取り入れて多室の除加湿と冷暖房を行う換気空調システムに適用される。
【図１】
2009011362.tif 000003
【図２】
2009011362.tif 000004
【図３】
2009011362.tif 000005
【図４】
2009011362.tif 000006
【図５】
2009011362.tif 000007
【図６】
2009011362.tif 000008
【図７】
2009011362.tif 000009
【図８】
2009011362.tif 000010
【図９】
2009011362.tif 000011
【図１０】
2009011362.tif 000012
【図１１】
2009011362.tif 000013
【図１２】
2009011362.tif 000014
【図１３】
2009011362.tif 000015
【国際調査報告】
2009011362.tif 000016
2009011362.tif 000017
2009011362.tif 000018
2009011362.tif 000019